(57)【要約】【課題】目の画像を撮影する際に、装置に入射する外光の影響による誤認識を低減し、認識を高精度に行えるようにする。【解決手段】虹彩認証装置３０において、目とカメラ３２と照明用光源３３の間に外光を遮る筒状部材４０を取り付けることで、カメラ３２に入り込む外光を遮る構造にしている。更に、撮影時は、使用者が虹彩認証を行おうとしているかを検知するために、撮影部５１のカメラ３２で撮影した画像を画像キャプチャ部５３にてキャプチャしておき、明度監視部５４により当該画像の明るさを一定時間監視する。使用者が、筒状部材４０に目の付近を接触させることにより目画像の明るさの変化が検出されると、そのタイミングで光源３３を発光させ、自動的に撮影部５１のカメラ３２のシャッタを切り撮影を行う。【選択図】図１
2009211597.tif 000002
【特許請求の範囲】
【請求項１】
筐体部と、
所定距離離れた第１の開口部及び第２の開口部を有し、前記第１の開口部が前記筐体部に装着される筒状部材と、
前記筐体部において前記第１の開口部内に設けられ、撮影時において前記筒状部材の第２の開口部に接触する個人の顔の目の付近に、前記筒状部材を通して光を照射する照明手段と、
前記筐体部において前記第１の開口部内に設けられ、前記光で照射された目を前記筒状部材を通して撮影して目画像を取得する撮影手段と、
前記筐体部に設けられ、前記撮影時において前記第１の開口部から取得された画像内の明るさを検出し、前記明るさが所定の明度より暗くなった時に、前記照明手段及び前記撮影手段を動作させて前記撮影手段により前記撮影を行わせる制御手段と、
前記筐体部に設けられ、前記取得された目画像から虹彩データを抽出してこの抽出された虹彩データと予め登録された虹彩データとを照合して前記個人を認識する認識手段と、
を有することを特徴とする虹彩認証装置。
【請求項２】
前記制御手段は、所定の時間間隔で前記明るさの変化を監視する監視機能を有することを特徴とする請求項１記載の虹彩認証装置。
【請求項３】
前記制御手段は、画像内の所定の領域に対して前記明るさの変化を監視する監視機能を有することを特徴とする請求項１記載の虹彩認証装置。
【請求項４】
筐体部と、
所定距離離れた第１の開口部及び第２の開口部を有し、撮影時には前記第２の開口部が前記筐体部から突出し、非撮影時には前記第２の開口部が後退して前記第１及び第２の開口部が前記筐体部内に収納されるように、突出後退自在に前記筐体部に装着される筒状部材と、
前記筐体部において前記第１の開口部内に設けられ、撮影時において前記筒状部材の第２の開口部に接触する個人の顔の目の付近に、前記筒状部材を通して光を照射する照明手段と、
前記筐体部において前記第１の開口部内に設けられ、前記光で照射された目を前記筒状部材を通して撮影して目画像を取得する撮影手段と、
前記筐体部に設けられ、前記撮影時において前記第１の開口部から取得された画像内の明るさを検出し、前記明るさが所定の明度より暗くなった時に、前記照明手段及び前記撮影手段を動作させて前記撮影手段により前記撮影を行わせる制御手段と、
前記筐体部に設けられ、前記取得された目画像から虹彩データを抽出してこの抽出された虹彩データと予め登録された虹彩データとを照合して前記個人を認識する認識手段と、
を有することを特徴とする虹彩認証装置。
【請求項５】
請求項４記載の虹彩認証装置は、更に、
前記撮影時において前記第１の開口部から取得された画像内に前記顔が含まれているか否かを検出し、前記顔が含まれている場合には前記筒状部材を前記筐体部から突出させる顔検出駆動手段を、
有することを特徴とする虹彩認証装置。
【請求項６】
請求項４記載の虹彩認証装置は、更に、
前記撮影時において前記第１の開口部から取得された画像内に使用者の前記顔が含まれているか否かを認識し、前記使用者の顔が含まれている場合には前記筒状部材を前記筐体部から突出させる顔認識駆動手段を、
有することを特徴とする虹彩認証装置。
【請求項７】
請求項４記載の虹彩認証装置は、
前記筒状部材及び前記撮影手段を前記個人の動きに追従させる構成にしたことを特徴とする虹彩認証装置。
【請求項８】
前記撮影手段及び前記照明手段は、前記筒状部材と一体化して向きを変えて、前記個人の動きに追従させる構成にしたことを特徴とする請求項７記載の虹彩認証装置。
【請求項９】
前記撮影手段及び前記照明手段は、前記筒状部材の向きに連動して向き、焦点距離、及び光量の全て又は一部を前記個人の動きに追従して調整する構成にしたことを特徴とする請求項７記載の虹彩認証装置。
【請求項１０】
個人の目に光を照射する照明手段と、
前記光が照射された目を撮影して目画像を取得する撮影手段と、
前記取得された目画像から虹彩データを抽出してこの抽出された虹彩データと予め登録された虹彩データとを照合して前記個人を認識する認識手段とが、
筐体部に設けられた虹彩認証装置に装着する装着具であって、
前記照明手段及び前記撮影手段を内包して前記照明手段及び前記撮影手段の周囲を覆うことが可能な内径と、筒状の形状とを有し、
前記撮影時において前記筐体部に装着され、前記撮影手段へ入射する外光を遮断することを特徴とする装着具。
【発明の詳細な説明】
【技術分野】
【０００１】
本発明は、人の目の虹彩を利用して個人を認識するための虹彩認証装置、及びそれに用いられる装着具であって、目の画像（即ち、目画像）を撮影する際に、装置に入射する外光の影響による誤認識を低減し、認識を高精度に行えるようにした認証制御に関するものである。
【背景技術】
【０００２】
従来、人の目の虹彩部分の画像を用いた携帯型虹彩認証装置が下記の特許文献１〜３等に開示されている。
【０００３】
【特許文献１】特開２００５−２９２５４２号公報
【特許文献２】特開２００５−３２７１６１号公報
【特許文献３】特開２００８−１５８８４号公報
【０００４】
これらの特許文献１〜３等に記載されているように、従来の虹彩認証装置は、使用者の目画像をカメラで取得し、取得した目画像の中から虹彩部分を切り出して虹彩データを抽出し、予め登録された使用者の虹彩データと照合して一致した場合に、該使用者を本人であると認証する。
【０００５】
図１２（ａ）、（ｂ）は、特許文献１〜３等に記載された従来の携帯型虹彩認証装置を示す概略の構成図であり、同図（ａ）は携帯型虹彩認証装置の外観図、及び、同図（ｂ）は同図（ａ）中の虹彩認証装置本体の構成図である。
【０００６】
携帯型虹彩認証装置１０は、携帯端末装置である携帯電話機に搭載された装置であり、筐体部１１を有し、この筐体部１１の内部に、虹彩認証装置本体２０が設けられている。筐体部１１の外部の正面側には、撮影部２１のカメラ２１ａと、照明部２２の照明用光源２２ａと、表示部１２等とが設けられている。照明用光源２２ａは、カメラ２１ａにより目を撮影し、この目の画像を取得する際、発光させて光を目に照射するものであり、その発光に同期してカメラ２１ａのレンズ、シャッタ等を動作させ目を撮影するようになっている。
【０００７】
筐体部１１内の虹彩認証装置本体２０は、カメラ２１ａを有する撮影部２１、照明用光源２２ａを有する照明部２２、撮影部２１で取得された目画像をキャプチャ（捕獲）する画像キャプチャ部２３、虹彩認識部２４、及び虹彩認識辞書２５等により構成されている。
【０００８】
この携帯型虹彩認証装置１０において、認証処理は以下のように行われる。
撮影部２１により、カメラ２１ａのレンズ、シャッタ等を動作させて、カメラ２１ａの前方に位置する被写体である使用者の目を撮影する。照明部２２は、撮影部２１により目を撮影するタイミングに同期して、照明用光源２２ａを発光させて使用者の顔を照射する。撮影部２１での撮影動作中の目画像は、画像キャプチャ部２３でキャプチャされて記憶され、この記憶された画像データが虹彩認識部２４へ送られる。虹彩認識部２４では、画像キャプチャ部２３でキャプチャされて記憶された目画像から虹彩データを抽出し、虹彩認識辞書２５に予め格納され登録されている虹彩データと照合することで、使用者が本人かどうかを認識する。
【発明の開示】
【発明が解決しようとする課題】
【０００９】
しかしながら、従来の虹彩認証装置では、次のような課題があった。
使用者が携帯型虹彩認証装置１０を使用する周囲の環境によっては、例えば、室内の蛍光灯の下や晴れた日の日光の強い屋外等といった外光の強い場所になることがある。このような状況では、使用者の立ち居地により、外光がカメラ２１ａに入射することがある。
【００１０】
従来の携帯型虹彩認証装置１０では、照明部２２の照明用光源２２ａの光と比べ、光量の多い外光がカメラ２１ａを通して撮影部２１に入射した場合、光源２２ａの光の光量がこれに負けてしまい、取得した目画像のほぼ全域に光の映り込みが生じ、撮影された目画像、特に認識に必要な虹彩部分の微細な文様が、外光の写り込みに沈んでしまい、虹彩データが認識に耐えうる程度の明瞭さで取得できないことがある。その結果、外光の写り込みがある状態で取得された目画像はそのまま認識の処理へ送られて処理され、虹彩データが抽出できないと判定され認識不能となるか、あるいは虹彩データが抽出できても欠損を含むデータとなってしまい照合処理の結果、誤認識となってしまっていた。このような問題は、据え置き型の虹彩認証装置についても生じる虞がある。
【課題を解決するための手段】
【００１１】
本発明の虹彩認証装置は、筐体部と、所定距離離れた第１の開口部及び第２の開口部を有し、前記第１の開口部が前記筐体部に装着される筒状部材と、前記筐体部において前記第１の開口部内に設けられ、撮影時において前記筒状部材の第２の開口部に接触する個人の顔の目の付近に、前記筒状部材を通して光を照射する照明手段と、前記筐体部において前記第１の開口部内に設けられ、前記光で照射された目を前記筒状部材を通して撮影して目画像を取得する撮影手段と、前記筐体部に設けられ、前記撮影時において前記第１の開口部から取得された画像内の明るさを検出し、前記明るさが所定の明度より暗くなった時に、前記照明手段及び前記撮影手段を動作させて前記撮影手段により前記撮影を行わせる制御手段と、前記筐体部に設けられ、前記取得された目画像から虹彩データを抽出してこの抽出された虹彩データと予め登録された虹彩データとを照合して前記個人を認識する認識手段とを有している。
【００１２】
本発明の他の虹彩認証装置は、筐体部と、所定距離離れた第１の開口部及び第２の開口部を有し、撮影時には前記第２の開口部が前記筐体部から突出し、非撮影時には前記第２の開口部が後退して前記第１及び第２の開口部が前記筐体部内に収納されるように、突出後退自在に前記筐体部に装着される筒状部材と、前記筐体部において前記第１の開口部内に設けられ、撮影時において前記筒状部材の第２の開口部に接触する個人の顔の目の付近に、前記筒状部材を通して光を照射する照明手段と、前記筐体部において前記第１の開口部内に設けられ、前記光で照射された目を前記筒状部材を通して撮影して目画像を取得する撮影手段と、前記筐体部に設けられ、前記撮影時において前記第１の開口部から取得された画像内の明るさを検出し、前記明るさが所定の明度より暗くなった時に、前記照明手段及び前記撮影手段を動作させて前記撮影手段により前記撮影を行わせる制御手段と、前記筐体部に設けられ、前記取得された目画像から虹彩データを抽出してこの抽出された虹彩データと予め登録された虹彩データとを照合して前記個人を認識する認識手段とを有している。
【００１３】
本発明の装着具は、個人の目に光を照射する照明手段と、前記光が照射された目を撮影して目画像を取得する撮影手段と、前記取得された目画像から虹彩データを抽出してこの抽出された虹彩データと予め登録された虹彩データとを照合して前記個人を認識する認識手段とが、筐体部に設けられた虹彩認証装置に装着する装着具であって、前記照明手段及び前記撮影手段を内包して前記照明手段及び前記撮影手段の周囲を覆うことが可能な内径と、筒状の形状とを有し、前記撮影時において前記筐体部に装着され、前記撮影手段へ入射する外光を遮断する構成になっている。
【発明の効果】
【００１４】
本発明の虹彩認証装置及び装着具によれば、目と撮影手段と照明手段の間に外光を遮る装着具である筒状部材を取り付けることで、撮影手段に入り込む外光を遮る構造にしている。更に、撮影時は、筒状部材に使用者が目の付近を接触させることにより目画像の明るさの変化が、制御手段により検出されると、そのタイミングで照明手段を発光させ、自動的に撮影手段により撮影を行う構成にしている。これにより、目の画像が、虹彩データが認識に適した状態で明瞭に撮影されるので、虹彩データの抽出が高精度に行われ、照合処理が高精度に行われる。
【００１５】
本発明の他の虹彩認証装置によれば、突出後退自在の筒状部材を筐体部に内蔵し、撮影時に筒状部材が筐体部から突出し、撮影手段に入り込む外光が遮られる構成になっているので、筒状部材を別に持ち歩き、撮影時に取り付けるといった煩雑な作業が不要になり、使い勝手のよい虹彩認証装置が実現できる。
【００１６】
本発明の他の虹彩認証装置において、例えば、顔検出駆動手段を設けた場合には、撮影された画像に顔が含まれていると顔検出駆動手段で認識すると、筒状部材が自動的に突出するので、使用者が、筒状部材の突出をボタン操作等で行う必要がなくなり、操作の利便性が向上する。
【００１７】
本発明の他の虹彩認証装置において、例えば、顔認識駆動手段を設けた場合には、撮影された顔画像が、顔認識駆動手段により、予め使用者として登録してある顔であると認識すると、筒状部材が自動的に突出するので、使用者が、予め顔を登録された人物であり許可された者である場合に限り、筒状部材が突出して目画像を常に安定して撮影できる。これにより、許可されていない者に容易に精度の高い撮影をさせない高度のセキュリティを保持した装置を実現することが可能となる。
【００１８】
本発明の他の虹彩認証装置において、例えば、筒状部材と撮影手段と筐体部が一体化して（又は、撮影手段と照明手段とは筒状部材と一体化せずに）、使用者の動きに追従して動くように構成した場合には、筒状部材の向きを柔軟に変更でき、使用者にとって目を合わせ易くなり、使用者の持ち方の影響を受けず、目画像を常に安定して撮影することが可能となる。
【００１９】
本発明の他の虹彩認証装置において、例えば、筒状部材、撮影手段、及び照明手段のそれぞれが使用者の動きに追従して動くように構成した場合には、筒状部材及び撮影手段と照明手段の向きを柔軟に変更でき、使用者にとって目を合わせ易くなり、使用者の持ち方の影響を受けず、目画像を常に安定して撮影することが可能となる。
【発明を実施するための最良の形態】
【００２０】
本発明を実施するための最良の形態は、以下の好ましい実施例の説明を添付図面と照らし合わせて読むと、明らかになるであろう。但し、図面はもっぱら解説のためのものであって、本発明の範囲を限定するものではない。
【実施例１】
【００２１】
（実施例１の構成）
図１（ａ）、（ｂ）は、本発明の実施例１を示す携帯型虹彩認証装置の概略の構成図であり、同図（ａ）は携帯型虹彩認証装置の外観図、及び、同図（ｂ）は同図（ａ）中の虹彩認証装置本体の構成図である。
【００２２】
図１（ａ）に示す携帯型虹彩認証装置３０は、携帯端末装置（例えば、携帯電話機）に搭載され、人の虹彩を認証する装置であり、筐体部３１を有している。筐体部３１の内部には、図１（ｂ）に示すような虹彩認証装置本体５０が設けられている。筐体部３１の例えば正面側には、カメラ３２と、このカメラ３２の近傍に配置された照明用光源３３と、液晶等の表示部３４と、図示しない撮影開始キー等を有する入力部３５等とが設けられている。筐体部３１におけるカメラ３２及び光源３３の周囲には、このカメラ３２及び光源３３を包囲して、カメラ３２の光軸の方向と一致するように、カメラ３２に入り込む外光を遮るための装着具である筒状部材４０が装着されている。
【００２３】
筒状部材４０は、所定の長さだけ離れた第１の開口部５１及び第２の開口部５２を有し、この第１の開口部５１がカメラ３２及び光源３３の周囲に、螺子（ねじ）等により着脱自在に装着され、第２の開口部５２に顔の目の付近を接触するものであって、目とカメラ３２とその目を照射する光源３３の間においてそのカメラ３２に入り込む外光を遮る構造になっている。
【００２４】
筐体部３１内に設けられた虹彩認証装置本体５０は、入力部３５に接続された撮影手段（例えば、撮影部）５１を有し、この撮影部５１に、照明手段（例えば、照明部）５２とキャプチャ手段（例えば、画像キャプチャ部）５３とが接続されている。撮影部５１は、レンズ、シャッタ、電荷結合素子（以下「ＣＣＤ」という。）等のイメージセンサ、絞り機構等を有するカメラ３２を備え、このカメラ３２を動作させ、カメラ３２の前方に位置する被写体である目を撮影してイメージセンサの撮像面にて目画像を取得する機能を有している。照明部５２は、照明用光源３３を有し、撮影部５１により目を撮影するタイミングに同期して、光源３３を発光させて光を目に照射する機能を有している。画像キャプチャ部５３は、メモリ等の記憶手段を有し、撮影部５１で取得された目画像をキャプチャして一定期間記憶手段に記憶するものである。
【００２５】
画像キャプチャ部５３には、明度監視部５４を介して撮影制御部５５が接続されると共に、認識手段（例えば、虹彩認識部）５６が接続され、この虹彩認識部５６に登録手段（例えば、虹彩認識辞書）５７が接続されている。明度監視部５４及び撮影制御部５５は、画像キャプチャ部５３によりキャプチャされて記憶された画像内の明るさを検出し、この明るさが所定の明度より暗くなった時に、撮影部５１及び照明部５２を動作させてカメラ４２により目の撮影を行わせる制御手段としての機能を有している。その内、明度監視部５４は、所定の時間間隔で一定時間、画像キャプチャ部５３によりキャプチャされて記憶された目画像の明るさの変化を監視し、例えば、使用者が筒状部材４０の第２の開口部４２に目の付近を接触させることにより生じる目画像の明るさの変化を検出すると、この検出結果を撮影制御部５５へ与えるものである。撮影制御部５５は、明度監視部５４において目画像の明るさの変化が検出されると、このタイミングで照明部５２の光源３３を発光させ、自動的に撮影部５１のカメラ３２のシャッタを切って撮影を行わせる機能を有している。
【００２６】
画像キャプチャ部５３に接続された虹彩認識部５６は、画像キャプチャ部５３にキャプチャされて記憶された目画像から虹彩データを抽出し、この抽出された虹彩データと虹彩認識辞書５７に予め登録された虹彩データとを照合して、使用者が本人かどうかを認識する機能を有している。
【００２７】
このような虹彩認証機能に必要な各構成は、虹彩認証装置本体５０に組み込むソフトウェア、あるいは個別回路で構成されている。なお、筒状部材４０は、予め筐体部３１に固定した構造にしてもよい。
【００２８】
（実施例１の動作）
図２は、図１の筐体部３１に取り付けられた筒状部材４０の断面、筒状部材４０と使用者の目及び装置各部との関係を示す概略の図である。
【００２９】
筐体部４１に取り付けられたカメラ３２及び光源３３の周囲には、このカメラ３２及び光源３３を内包するように筒状部材４０の第１の開口部４１が装着されている。第１の開口部４１から所定の長さＬだけ離れた第２の開口部４２に、目６０の付近が接触すると、明度監視部５４がそれを検知して撮影制御部５５に光源３３の点灯を指示して、この目６０が光源３３からの光により照射される。目６０には、黒目である虹彩６１の中心に瞳孔６２がある。
【００３０】
図３（ａ）〜（ｃ）は、図２における目６０の付近の接触の前後のキャプチャ画像の変化を示す模式図である。
【００３１】
これらの図１〜図３を参照しつつ、以下、本実施例１の携帯型虹彩認証装置３０の動作を説明する。
【００３２】
図１において、使用者は、携帯型虹彩認証装置３０とこの装着具である筒状部材４０とを使用しないときは、分離して所持する。使用者は、目６０の虹彩６１の認証を行う場合、筒状部材４０における筒部の中心が筐体部３１側のカメラ３２の光軸と同一の方向になるように、この筒状部材４０の第１の開口部４１を筐体部３１に螺着等により取り付ける。そして、筒状部材４０が装着された筐体部３１を手で把持し、虹彩６１の認証処理を開始するために、入力部３５の図示しない撮影開始キーを押下すると共に、図２に示すように、筒状部材４０の開口部４２を自身の目６０の付近に押し当て接触させる。
【００３３】
撮影開始キーが押下されると、撮影部５１及び照明部５２が動作し、照明部５２の光源３３が発光して目６０の付近が照射されると共に、カメラ３２で目６０の付近が撮影される。カメラ３３で撮影される一連の画像の変化は、画像キャプチャ部５３にてキャプチャされ、このキャプチャ画像が記憶される。明度監視部５４は、画像キャプチャ部５３に記憶された目画像の明るさの変化を監視している。
【００３４】
図３（ａ）〜（ｃ）には、筒状部材４０に使用者が目６０の付近を当てる前後のキャプチャ画像の変化が示されている。図３（ａ）の状態は、未だ目６０が開口部５２に位置付けられていない状態である。筒状部材４０が取り付けられていることにより、カメラ３２の周囲の視野角が遮られるので、画像の周辺部は暗くなっている。開口部４２からの外光の入射光だけであるから、画像の中央付近に開口部４２の大きさ及び形に併せ円形の明るい部分が撮影される。図３（ｂ）には、使用者が開口部４２に目６０の付近を接触させた状態の画像が示されている。開口部４２が塞がれることにより、外光の入射が遮られ、中央付近の目画像の領域も暗く撮影される。
【００３５】
図３（ａ）から図３（ｂ）の動作において、明度監視部５４は、画像キャプチャ部５３に記録された目画像が、明るい状態から暗い状態に変化したことを検出する。明るさの変化の判定に当たっては、キャプチャ画像の全領域を用いて判定してもよいし、あるいは、予め目６０が存在すると考えられる中央付近の画像領域のみに限定して、その領域の範囲内で明るさの変化を判定してもよい。明度監視部５４は、暗い状態が一定時間継続していることを検出すると、使用者が目６０の付近を開口部４２に接触させており、目６０の撮影の準備がされていると判定し、撮影制御部５５に指示して照明部５２の光源３３を発光させると共に、撮影制御部５５のカメラ３２のシャッタを切る。
【００３６】
図３（ｃ）では、光源３３が発光し目６０に光が照射されることで、中央付近の目６０の部分が明るくなった画像が示されている。光源３３の光が照射される動作に併せて、カメラ３２が図３（ｃ）の状態の目画像を撮影する。図３（ｃ）の目画像は、画像キャプチャ部５３にキャプチャされ、このキャプチャされた目画像が虹彩認識部５６へ送られる。虹彩認識部５６は、送られてきた目画像から虹彩データを算出（抽出）して、この虹彩データと、虹彩認識辞書５７に予め登録されている虹彩データとの照合を行い、虹彩データの一致する率がある閾値以上の場合、使用者を本人と認識する。
【００３７】
（実施例１の効果）
本実施例１によれば、携帯型虹彩認証装置３０において目６０とカメラ３２と光源３３の間に外光を遮る筒状部材４０を取り付けることで、カメラ３２に入り込む外光を遮る構造にしている。更に、撮影時は、使用者が虹彩認証を行おうとしているか否かを検知するために、撮影部５１の画像を画像キャプチャ部５３にキャプチャしておき、明度監視部５４にて当該画像の明るさを一定時間監視し、使用者が、筒状部材４０に目６０の付近を接触させることにより目画像の明るさの変化が検出されると、そのタイミングで光源３３を発光させ、自動的にカメラ３２のシャッタを切り撮影を行う構成にしている。これにより、目６０の画像が、虹彩データが認識に適した状態で明瞭に撮影されるので、虹彩データの抽出が高精度に行われ、照合処理が高精度に行われる。
【実施例２】
【００３８】
（実施例２の構成）
図４は、本発明の実施例２を示す携帯型虹彩認証装置における虹彩認証装置本体の概略の構成図である。更に、図５は、図４の筒状部材と目及び装置各部との関係を示す図である。これらの図４及び図５では、実施例１を示す図１〜図３中の要素と共通の要素には共通の符号が付されている。
【００３９】
本実施例２では、実施例１の筒状部材４０に代えて、図５の破線で示すように、突出後退自在の筒状部材４０Ａを筐体部３１に内蔵し、撮影時に入力部３５の図示しない撮影開始キーを押すか、又は携帯型認証装置３０の開閉等により、図５の実線で示すように、筒状部材４０Ａが筐体部３１の前面から突出する構造になっており、筒状部材４０Ａが突出すると、撮影部５１のカメラ３２に入り込む外光が遮られる構成になっている。
【００４０】
筐体部３１内に設けられる虹彩認証装置本体５０Ａは、実施例１の虹彩認証装置本体５０において、撮影時に入力部３５の図示しない撮影開始キーを押すか、又は携帯型認証装置３０の開閉等の変化を検出するセンサからなる検出部５８と、この検出部５８に接続された筒部駆動部５９とが追加されている。筒部駆動部５９は、検出部５８からの検出信号に基づき、撮影制御部５５及び筒状部材４０Ａを制御して、筒状部材４０Ａを自動で筐体部３１から突出後退させるためのモータ等からなる駆動源等により構成されている。その他の構成は、実施例１と同様である。
【００４１】
（実施例２の動作）
先ず、使用者は筐体部３１を把持し、入力部３５の図示しない撮影開始キーを押すか、又は携帯型認証装置３０の開閉等を行うと、この変化が検出部５８で検出され、この検出信号により筒部駆動部５９が動作する。すると、筒状部材４０Ａが図５の実線で示されるように、筐体部３１の前面から突出する。筒部駆動部５９が筒状部材４０Ａの駆動を開始するのと同時に、この筒部駆動部５９から撮影制御部５５へ制御信号が送られ、撮影部５１のカメラ３２が起動し、このカメラ３２で撮影された画像が画像キャプチャ部５３でキャプチャされ、キャプチャ画像の記憶が開始される。
【００４２】
使用者は、把持した筐体部３１から突出している筒状部材４０Ａの開口部４２に、目６０の付近を接触させる。これ以降の動作は、実施例１と同様であり、画像キャプチャ部５３に記憶された目６０の画像が所定の暗さになったことを、明度監視部５４が検出すると、照明部５２の光源３３を発光させて使用者の目６０に光を照射する。これに対応して撮影部５１のカメラ３２において自動的にシャッタが切られて目６０が撮影され、続いて虹彩認識部５６で認識処理が行われる。撮影及び認識処理が完了すると、撮影制御部５５及び筒部駆動部５９を介して筒状部材４０Ａが後退して筐体部３１内に収納される。
【００４３】
（実施例２の効果）
本実施例２によれば、突出後退自在の筒状部材４０Ａを筐体部３１に内蔵し、撮影時に筒状部材４０Ａが筐体部３１の前面から突出し、カメラ３２に入り込む外光が遮られる構成になっているので、筒状部材４０Ａを別に持ち歩き、撮影時に取り付けるといった煩雑な作業が不要になり、使い勝手のよい携帯型虹彩認証装置３０が実現できる。
【実施例３】
【００４４】
（実施例３の構成）
図６は、本発明の実施例３を示す携帯型虹彩認証装置における虹彩認証装置本体の概略の構成図であり、実施例２を示す図４中の要素と共通の要素には共通の符号が付されている。
【００４５】
本実施例３の虹彩認証装置本体５０Ｂでは、実施例２の検出部５８に代えて、画像キャプチャ部５３に接続された顔検出部７０が設けられ、この顔検出部７０に筒部駆動部５９が接続されている。顔検出部７０及び筒部駆動部５９は、画像キャプチャ部５３でキャプチャされたキャプチャ画像内に顔が含まれているか否かを検出し、顔が含まれている場合には自動的に筒状部材４０Ａを筐体部３１から突出させる顔検出駆動手段としての機能を有している。その他の構成は、実施例２と同様である。
【００４６】
（実施例３の動作）
使用者は、筒状部材４０Ａが未だ筐体部３１内にあって突出していない状態で、筐体部３１を把持し、カメラ３２の近くに顔を近づける。撮影部５１のカメラ３２が顔を撮影し、撮影された顔画像が画像キャプチャ部５３でキャプチャされて顔検出部７０へ送られる。顔検出部７０は、送られてきた顔画像に顔が入っていると判断した場合には、筒部駆動部５９を駆動して筒状部材４０Ａを筐体部３１から突出させる。なお、顔検出部７０における顔検出の具体的な方法としては、例えば、特開平７−３１１８３３号公報に開示されている顔検出装置等の公知技術を用いればよい。
【００４７】
使用者は、筐体部３１から筒状部材４０Ａが突出したことを確認すると、開口部４２に目６０の付近を接触させる。これ以降の動作は、実施例２と同様であり、キャプチャ部５３でキャプチャされた目６０の画像が所定の暗さになったことを、明度監視部５４により検出すると、照明部５２の光源３３を発光させ使用者の目６０に光を照射する。これに対応して、撮影部５１のカメラ３２において自動的にシャッタが切られて目６０が撮影され、続いて認識処理が行われる。撮影及び認識処理が完了すると、撮影制御部５５及び筒部駆動部５９を介して筒状部材４０Ａが筐体部３１内に収納される。
【００４８】
（実施例３の効果）
本実施例３によれば、画像キャプチャ部５３でキャプチャされた画像に顔が含まれていると顔検出部７０で検出すると、筒状部材４０Ａが自動的に突出するように構成したので、使用者が、筒状部材４０Ａの突出をボタン操作等で行う必要がなくなり、操作の利便性が向上する。
【実施例４】
【００４９】
（実施例４の構成）
図７は、本発明の実施例４を示す携帯型虹彩認証装置における虹彩認証装置本体の概略の構成図であり、実施例３を示す図６中の要素と共通の要素には共通の符号が付されている。
【００５０】
本実施例４の虹彩認証装置本体５０Ｃでは、実施例３の顔検出部７０に代えて、画像キャプチャ部５３に接続された顔認識部７１が設けられ、この顔認識部７１に、筒部駆動部５９と新たに設けられた顔認識辞書７２とが接続されている。顔認識部７１、顔認識辞書７２及び筒部駆動部５９は、画像キャプチャ部５３でキャプチャされたキャプチャ画像内に、顔認識辞書７２に予め使用者として登録されている顔が含まれているか否かを顔認識部７１で認識し、使用者の顔が含まれていると認識した場合には筒部駆動部５９によって自動的に筒状部材４０Ａを筐体部３１から突出させる顔認識駆動手段としての機能を有している。その他の構成は、実施例３と同様である。
【００５１】
（実施例４の動作）
使用者は、筒状部材４０Ａが未だ筐体部３１内にあって突出していない状態で、筐体部３１を把持し、カメラ３２の近くに顔を近づける。撮影部５１のカメラ３２が顔を撮影し、この顔画像が画像キャプチャ部５３でキャプチャされて顔認識部７１へ送られる。顔認識部７１は、送られてきた画像に顔が入っていると検知した場合は、その顔が顔認識辞書７２に登録されている使用者の顔であるかを認識する。そして、顔認識部７１で使用者の顔と判断された場合には、筒部駆動部５９が駆動して筒状部材４０Ａが筐体部３１から突出する。使用者は、筐体部３１から筒状部材４０Ａが突出したことを確認すると、開口部４２に目６０の付近を接触させる。
【００５２】
これ以降の動作は、実施例３と同様であり、キャプチャ部５３でキャプチャされた目６０の画像が所定の暗さになったことを、明度監視部５４により検出すると、照明部５２の光源３３を発光させて使用者の目６０に光を照射する。これに対応して、撮影部５１のカメラ３２において自動的にシャッタが切られて目６０が撮影され、続いて認識処理が行われる。撮影及び認識処理が完了すると、撮影制御部５５及び筒部駆動部５９を介して筒状部材４０Ａが筐体部３１内に収納される。
【００５３】
（実施例４の効果）
本実施例４によれば、キャプチャ部５３でキャプチャされた顔画像が、予め使用者として登録してある顔であると認識すると、筒状部材４０Ａが自動的に突出するように構成したので、使用者が、予め顔を登録された人物であり許可された者である場合に限り、筒状部材４０Ａが突出して目画像を常に安定して撮影できる。これにより、許可されていない者に容易に精度の高い撮影をさせない高度のセキュリティを保持した装置を実現することが可能となる。
【実施例５】
【００５４】
（実施例５の構成）
図８は、本発明の実施例５を示す携帯型虹彩認証装置における虹彩認証装置本体の概略の構成図である。更に、図９は、図８の筒状部材と目及び装置各部との関係を示す図である。これらの図８及び図９では、実施例１及び実施例２を示す図１〜図５中の要素と共通の要素には共通の符号が付されている。
【００５５】
本実施例５の虹彩認証装置本体５０Ｄを有する携帯型虹彩認証装置３０では、実施例２の筒状部材４０Ａ（又は、実施例１の筒状部材４０）に代えて、これとは構成の異なる開口部４１，４２を有する筒状部材４０Ｄが設けられている。本実施例５の筒状部材４０Ｄとカメラ３２と筐体部３１とは、一体となって使用者の動きに追従して動く構成になっている。即ち、筒状部材４０Ｄ及びカメラ３２と光源３３は、筐体部３１に対して一定の範囲の角度で向き（例えば、図９に示す方向Ａ，Ｂ等）を変えられるようになっている。その他の構成は、実施例２（又は実施例１）と同様である。
【００５６】
（実施例５の動作）
図９に示すように、突出した筒状部材４０Ｄとカメラ３２と光源３３は一体化しており、筐体部３１に対して、所定の角度内で向きを変えられるように取り付けられている。使用者は、筐体部３１を把持し、筒状部材４０Ｄの開口部４２に目６０の付近を接触させる。
【００５７】
使用者は、開口部４２に目６０の付近を接触させた後も、手ぶれや、体の向きを変えたりすることがあり、これにより目６０の位置が移動する。このような目６０の位置の変化に合わせ、目６０の付近と開口部４２は接触させたまま、筒状部材４０Ｄが、図９の筐体部３１から垂直方向（方向Ａ）にあるものを、やや上の方向Ｂへ、向きを変える。このような動作により、使用者は、開口部４２に目６０の付近を接触させた後に、手ぶれや、体の向きを変えたりしても、それに追従して目６０の画像を継続して撮影することができる。
【００５８】
又、カメラ３２と光源３３は筒状部材４０Ｄと一体化せずに、各々が向きを変えることができる構成でもよい。この場合は、角度の変化を図示しない角度検出部が検出し、この検出信号を撮影制御部５５へ送る。すると、撮影制御部５５では、角度検出部が検出した角度の変化量に応じて撮影部５１のカメラ３２の光軸の向きを筒状部材４０Ｄの向いた向きに一致するように調整する。その後の撮影及び認識処理の動作は、実施例２（又は実施例１）と同様である。
【００５９】
（実施例５の効果）
本実施例５によれば、筒状部材４０Ｄとカメラ３２と筐体部３１が一体化して（又は、カメラ３２と光源３３は筒状部材４０Ｄと一体化せずに）、使用者の動きに追従して動くように構成したので、筒状部材４０Ｄの向きを柔軟に変更でき、使用者にとって目６０を合わせ易くなり、使用者の持ち方の影響を受けず、目画像を常に安定して撮影することが可能となる。
【実施例６】
【００６０】
（実施例６の構成）
図１０は、本発明の実施例６を示す携帯型虹彩認証装置における虹彩認証装置本体の概略の構成図である。更に、図１１は、図１０の筒状部材と目及び装置各部との関係を示す図である。これらの図１０及び図１１では、実施例５を示す図８及び図９中の要素と共通の要素には共通の符号が付されている。
【００６１】
本実施例６の虹彩認証装置本体５０Ｅを有する携帯型虹彩認証装置３０では、実施例５の筒状部材４０Ｄに代えて、これとは構成の異なる開口部４１，４２を有する筒状部材４０Ｅが設けられ、更に、実施例５の撮影制御部５５及び筒部駆動部５７に代えて、これとは機能の異なる撮影制御部５５Ｅ、筒部駆動部５９Ｅ、及び角度制御部７３が設けられている。本実施例６の筒状部材４０Ｅ、カメラ３２、及び光源３３のそれぞれが、使用者の動きに追従して動く構成になっている。即ち、筒状部材４０Ｅ及びカメラ３２と光源３３は、筒状部材４０Ｅ、カメラ３２、及び光源３３のそれぞれが使用者の動きに追従して動くように構成されている。その他の構成は、実施例５と同様である。
【００６２】
（実施例６の動作）
突出した筒状部材４０Ｅとカメラ３２と光源３３は一体化しており、筐体部３１に対して、所定の角度内で向きを変えられるように取り付けられている。使用者は、筐体部３１を把持し、筒状部材４０Ｅの開口部４２に目６０の付近を接触させる。使用者は、開口部４２に目６０の付近を接触させた後も、手ぶれや、体の向きを変えたりすることがあり、これにより目６０の位置が移動する。このような目６０の位置の変化に合わせ、目６０の付近と開口部４２は接触させたまま、筒状部材４０Ｅが、図１１の筐体部３１から垂直方向（方向Ａ）にあるものを、やや上の方向Ｂへ向きを変える。このような動作により、使用者は、開口部４２に目６０の付近を接触させた後に、手ぶれや、体の向きを変えたりしても、それに追従して目６０の画像を継続して撮影することができる。
【００６３】
本実施例６では、カメラ３２と光源３３は筒状部材４０Ｅと一体化せずに各々が向きを変える構成になっている。筒部駆動部５９Ｅの出力信号に基づき、撮影時の角度の変化を角度制御部７３が検出し、この検出信号を撮影制御部５５Ｅへ送る。撮影制御部５５Ｅでは、角度制御部７３が検出した角度の変化量に応じて、撮影部５１のカメラ３２の光軸の向きや焦点の調整、光源３３の光量の調整を、筒状部材４０Ｅの向いた向きに対する被写体に適切に調整する。その後の撮影及び認識処理の動作は、実施例５と同様である。
【００６４】
（実施例６の効果）
本実施例６によれば、筒状部材４０Ｅ、カメラ３２、及び光源３３のそれぞれが使用者の動きに追従して動くように構成したので、筒状部材４０Ｅ及びカメラ３２と光源３３の向きを柔軟に変更でき、実施例５と同様に、使用者にとって目６０を合わせ易くなり、使用者の持ち方の影響を受けず、目画像を常に安定して撮影することが可能となる。
【００６５】
（変形例）
本発明は、上記実施例１〜６に限定されず、種々の利用形態や変形が可能である。この利用形態や変形例としては、例えば、次の（ａ）〜（ｄ）のようなものがある。
（ａ）  実施例１〜６を適宜組み合わせて実施することが可能である。例えば、実施例１の取り外し可能な筒状部材４０の構成と、実施例４の顔認識の機能を組み合わせて、筒状部材４０を取り付けたことを装置が検出すると、顔認識を行い、認識が認められた場合に目６０を撮影するといったような構成等が考えられる。
（ｂ）  虹彩認証装置本体５０〜５０Ｅを、携帯電話機以外の他のＰＤＡ（Personal  Digital  Assistant）等の携帯端末装置に搭載してもよい。又、虹彩認証装置本体５０〜５０Ｅは、精度の向上や用途の拡大等を図るために、図示以外の他の機能ブロックを追加する等してもよい。
（ｃ）  上記実施例では、携帯型虹彩認証装置３０について説明したが、本発明は、携帯端末型装置に限らず、据え置き型装置にも適用できる。
（ｄ）  本発明は、人の目の虹彩以外の顔等の他の生体部位の生体認証装置や、人以外の動物等の他の個体や生体部位に対する生体認証装置にも適用できる。
【図面の簡単な説明】
【００６６】
【図１】本発明の実施例１を示す携帯型虹彩認証装置の概略の構成図である。
【図２】図１の筐体部に取り付けられた筒状部材の断面、筒状部材と使用者の目及び装置各部との関係を示す概略の図である。
【図３】図２における目の付近の接触の前後のキャプチャ画像の変化を示す模式図である。
【図４】本発明の実施例２を示す携帯型虹彩認証装置における虹彩認証装置本体の概略の構成図である。
【図５】図４の筒状部材と目及び装置各部との関係を示す図である。
【図６】本発明の実施例３を示す携帯型虹彩認証装置における虹彩認証装置本体の概略の構成図である。
【図７】本発明の実施例４を示す携帯型虹彩認証装置における虹彩認証装置本体の概略の構成図である。
【図８】本発明の実施例５を示す携帯型虹彩認証装置における虹彩認証装置本体の概略の構成図である。
【図９】図８の筒状部材と目及び装置各部との関係を示す図である。
【図１０】本発明の実施例６を示す携帯型虹彩認証装置における虹彩認証装置本体の概略の構成図である。
【図１１】図１０の筒状部材と目及び装置各部との関係を示す図である。
【図１２】従来の携帯型虹彩認証装置を示す概略の構成図である。
【符号の説明】
【００６７】
３０      虹彩認証装置
３１      筐体部
３２      カメラ
３３      光源
４０，４０Ａ，４０Ｄ，４０Ｅ      筒状部材
４１，４２      開口部
５０〜５０Ｅ      虹彩認証装置本体
５１      撮影部
５２      照明部
５３      画像キャプチャ部
５４      明度監視部
５５      撮影制御部
５６      虹彩認識部
５７      虹彩認識辞書
５８      検出部
５９，５９Ｅ      筒部駆動部
７０      顔検出部
７１      顔認識部
７３      角度制御部
【図１】
2009211597.tif 000003
【図２】
2009211597.tif 000004
【図３】
2009211597.tif 000005
【図４】
2009211597.tif 000006
【図５】
2009211597.tif 000007
【図６】
2009211597.tif 000008
【図７】
2009211597.tif 000009
【図８】
2009211597.tif 000010
【図９】
2009211597.tif 000011
【図１０】
2009211597.tif 000012
【図１１】
2009211597.tif 000013
【図１２】
2009211597.tif 000014